(57)【特許請求の範囲】
【請求項１】
浴槽、給湯器付き風呂釜、洗浄ユニット、リモコン装置を備え、給湯器付き風呂釜には制御本体部が設けられ、この制御本体部に対して洗浄ユニットおよびリモコン装置がリモコンコードを介して接続されている自動風呂装置において、
前記制御本体部は、
洗浄ユニットが接続されているか否かを判断する接続判断手段と、
洗浄ユニットの通信異常の有無を判断する異常判断手段と、
前記接続判断手段によって洗浄ユニットが接続されていると判断されているにもかかわらずに、前記異常判断手段によって異常有りと判断された場合には、その以降の風呂動作を禁止する風呂動作禁止手段と、
を備えることを特徴とする自動風呂装置。
【請求項２】
請求項１記載の自動風呂装置において、
前記異常判断手段は、洗浄ユニットとの通信が所定回数以上行われた場合には、洗浄ユニットの存在を示すデータを格納する記憶手段を含むことを特徴とする自動風呂装置。
【発明の詳細な説明】
【０００１】
【発明の属する技術分野】
本発明は、自動洗浄浴槽を備えた自動風呂装置に関する。
【０００２】
【従来の技術】
本出願人は、浴槽の内壁面に付着した湯垢を洗浄して取り除くために、水流噴射式の自動洗浄浴槽を備えた自動風呂装置を提案している(たとえば、特願平９−４３３５７号参照)。
【０００３】
図３は、本出願人が既に提案した自動洗浄浴槽を備えた自動風呂装置の全体を示す構成図である。
【０００４】
この自動風呂装置１は、自動洗浄用の浴槽２、給湯器付き風呂釜２０、および洗浄ユニット１０４を備え、浴槽２は浴室３内に、洗浄ユニット１０４はこの浴槽２の外壁に、給湯器付き風呂釜２０は屋外等にそれぞれ設置されている。
【０００５】
給湯器付き風呂釜２０は、後述の給湯回路や追焚回路などを備えるとともに、マイクロコンピュータ等で構成される制御本体部１００を有している。また、洗浄ユニット１０４は、後述の洗浄タンクや洗浄液の供給停止のための各種のアクチュエータを備えるとともに、マイクロコンピュータ等で構成される制御部(図示せず)を有している。
【０００６】
そして、給湯器付き風呂釜２０の制御本体部１００には、台所などに設置されるメインリモコン装置１０２、浴室３内に設置される風呂リモコン装置１０３、および洗浄ユニット１０４がそれぞれ２芯のリモコンコード５を介して接続されており、制御本体部１００は、各リモコン装置１０２，１０３からリモコンコード５を介して入力されるデータや、給湯器付き風呂釜２０に設けられた各種のセンサからの検出信号に基づいて全体の動作を制御するとともに、燃焼制御を行い、さらに、洗浄ユニット１０４による洗浄動作を制御するようになっている。
【０００７】
図４は、自動風呂装置１の浴槽２、給湯器付き風呂釜２０、および洗浄ユニット１０４の接続状態を示す構成図である。
【０００８】
自動洗浄用の浴槽２は、その周壁２aに気泡混じりの湯水を噴出するための噴気ノズル１０および湯水の循環用の吸込口１４が設けられ、また、底部２dには洗浄ノズル４および排水栓７が設けられている。
【０００９】
各噴気ノズル１０には、湯水の吐出用の分岐配管１２a，１２bとエア吸い込み用のエア配管９０とが共に接続され、両分岐配管１２a，１２bは三方弁６５を介して吐出配管１７に接続されている。また、エア配管９０とエア吸込口９２との途中には逆止弁９１が設けられ、さらに、湯水吸込口１４には吸込配管１６が連通されている。なお、９３は浴槽２に浴槽蓋が置かれているか否かを検出するための蓋センサ、９５は排水栓７の開閉用の電磁式の開閉弁である。
【００１０】
一方、洗浄ノズル４には洗浄配管１８の一端が接続され、この洗浄配管１８の他端は洗浄ユニット１０４を介して吐出配管１７に接続されている。
【００１１】
この洗浄ユニット１０４は、洗剤貯留用の洗剤タンク８０、この洗剤タンク８０内の洗剤の残量を検出するフロートスイッチ８１、この洗剤タンク８０に連なる洗剤供給配管８５を開閉する洗剤開閉弁８２、洗浄配管１８を開閉する洗浄開閉弁８４、および吐出配管１７中の湯水の流れによって負圧を発生させて洗剤を洗浄配管１８内に引き込むためのベンチュリ８３を有するとともに、各弁８２，８４を駆動するモータ(図示せず)、および前述のマイクロコンピュータ等で構成される制御部(図示せず)を備えており、これらがユニット化されている。
【００１２】
給湯器付き風呂釜２０は、給湯回路３０、追焚回路５０、および風呂落込回路７０を有する。
【００１３】
給湯回路３０は、上水道からの入水を沸かして浴槽２や図示しないカランなどに給湯するためのものであって、熱交換器３１を備え、この熱交換器３１の前後の入水路３２と出湯路３３との間がバイパス路３４で接続され、このバイパス路３４の途中に電磁開閉式のバイパス弁３５が設けられている。
【００１４】
また、入水路３２には、熱交換器２への入水量Ｑcを検出する水量センサ３７と入水温度Ｔcを検出する温度センサ３８とが設けられ、また、出湯路３３には、熱交換器３１からの出湯温度を検出する缶体温度センサ４０、出湯量を制御する水量サーボ弁４１、およびバイパス路３４からの水とが混合された後の湯温を検出する出湯温度センサ４２が設けられている。
【００１５】
一方、追焚回路５０は、浴槽２の湯水を循環しつつ追い焚きするもので、追い焚き用の熱交換器５１を備え、この熱交換器５１の前後の吸込配管１６と吐出配管１７との間がバイパス路５４で接続され、このバイパス路５４の途中に電磁開閉式のバイパス弁５５が設けられている。
【００１６】
また、吸込配管１６の途中には、浴槽２の水位を検出する水位センサ５７、強制循環用の循環ポンプ５８、熱交換器５１への入水の有無を検出する水流スイッチ６０、浴槽２の湯温を検出する温度センサ６１、および吸込配管１６の途中を開閉する開閉弁６２が順次配置されている。
【００１７】
さらに、風呂落込回路７０は、上記の給湯回路３０と追焚回路５０との間を連結して湯水を浴槽２に落とし込むためのもので、電磁開閉式の落込弁７１、落とし込み量を検出する水量センサ７２、および逆止弁７３が順次設けられてなる。
【００１８】
次に、この構成の自動風呂装置１の風呂動作について、その概略を説明する。
【００１９】
(a)  湯張り動作
浴槽２に自動的に湯張りを行う湯張りモードが設定された場合には、追焚回路５０の開閉弁６２およびバイパス弁５５を共に閉じてから、三方弁６５を開く。これにより、給湯器付き風呂釜２０の給湯回路３０から出湯される湯水が落込回路７０および追焚回路５０を経由し、さらに、吐出配管１７から三方弁６５ならびに分岐配管１２a，１２bを通って噴気ノズル１０から浴槽２内に注湯される。
【００２０】
(b)  追い焚き動作
追い焚きモードが設定された場合には、給湯器付き風呂釜２０の追焚回路５０の循環ポンプ５８が起動されるとともに、バイパス弁５５が閉じられ、熱交換器５１がバーナで加熱されるので、浴槽２の湯水が湯水吸込口１４から吸込配管１６を通り熱交換器５１で再加熱された後、吐出配管１７から三方弁６５ならびに分岐配管１２a，１２bを通って噴気ノズル１０から浴槽２内に循環されつつ追い焚きされる。
【００２１】
(c)  噴気運転動作
噴気運転モードが設定された場合には、給湯器付き風呂釜２０の追焚回路５０の循環ポンプ５８が起動されるとともに、バイパス弁５５が開、開閉弁６２が閉となるので、浴槽２の湯水が循環されつつ、湯水が吐出配管１７から分岐配管１２a，１２bを通じて噴気ノズル１０から吐出される際に、同時にエア配管９０からのエアと混合されてエア混じりの湯水が浴槽２内に噴出される。
【００２２】
(d)  浴槽洗浄動作
浴槽洗浄モードが設定された場合には、開閉弁９５を開いて浴槽２内の湯水を排水栓７から排水した後、三方弁６５を閉じて湯水の吐出用の分岐配管１２a，１２bを通じて噴気ノズル１０から湯水が噴出されないようにし、同時に、洗浄ユニット１０４の洗浄開閉弁８４を開いて洗浄配管１８を吐出配管１７に連通させるとともに、洗剤開閉弁８２を開く。
【００２３】
一方、給湯器付き風呂釜２０側では、湯張りの場合と同様に、水量サーボ弁４１の開度を調整して、所定の水量が流出するようにする。
【００２４】
これにより、給湯器付き風呂釜２０からの湯水が吐出経路１７を経由して洗浄経路１８の途中のベンチュリ８３を通過する際に生じる負圧によって、洗剤タンク８１に溜められている洗剤が湯水と混合された後、洗浄ノズル４から噴射されて、浴槽２の周壁２aに付着している湯垢が洗剤混じりの洗浄液によって洗浄される。
【００２５】
【発明が解決しようとする課題】
ところで、給湯器付き風呂釜２０に設けられている制御本体部１００は、前述のように、リモコンコード５を介して洗浄ユニット１０４と定期的に通信を行い、洗浄ユニット１０４の負荷(フロートスイッチ８１、三方弁６５、洗剤開閉弁８２、洗浄開閉弁８４など)の状態を確認しながら洗浄動作を制御している。
【００２６】
施工現場によって、洗浄ユニット１０４がある場合と無い場合とがあるが、上記の定期的な通信によって、制御本体部１００は、洗浄ユニット１０４の存在の有無を判断している。
【００２７】
この自動風呂装置１においては、外来のノイズが給湯器付き風呂釜２０の制御本体部１００や、洗浄ユニット１０４の制御部に直接あるいはリモコンコード５を介して混入することがある。
【００２８】
そして、このノイズによって制御本体部１００はシステムダウンまでには至らずにリセット状態になる一方、洗浄ユニット１０４の制御部がシステムダウンした場合に特に問題が生じる。
【００２９】
すなわち、制御本体部１００はリセットされて初期状態となっており、しかも、洗浄ユニット１０４の制御部との通信が不可能となるため、洗浄ユニット１０４の存在を認識することができなくなる。換言すれば、洗浄ユニット１０４が無いものと判断してしまう。
【００３０】
一方、洗浄ユニット１０４側では、制御本体部１００からの制御が不能であるため、洗剤開閉弁８２や洗浄開閉弁８４が開いたままの状態で停止することが起こり得る。
【００３１】
この状態で、風呂リモコン装置１０３が操作されて、たとえば前述の湯張り動作が設定されたような場合には、制御本体部１００は、このモードをそのまま受け付けてしまうため、洗剤開閉弁８２や洗浄開閉弁８４が開いた状態で給湯器付き風呂釜２０から供給された湯水が吐出経路１７に流出することになる。
【００３２】
すると、分岐配管１２a,１２bから噴気ノズル１０を経て浴槽２に湯水が供給されるのみならず、洗浄配管１８を経由して洗浄液も同時に浴槽２内に吐出されることになって、清水を湯張りすることができなくなる。
【００３３】
なお、外来のノイズによって制御本体部１００がシステムダウンした場合には、各リモコン装置１０２,１０３から前述の湯張りモードが設定入力されとしても、その指令は受け付けられないので、上記のような不都合が生じることがない。
【００３４】
また、上記の不都合は、制御本体部１００と洗浄ユニット１０４とを結ぶリモコンコード５が不意に断線したような場合にも同様に発生する。
【００３５】
本発明は、このような不都合が発生するのを確実に防止することを課題とする。
【００３６】
【課題を解決するための手段】
本発明の自動洗浄浴槽は、上記の課題を解決するため、浴槽、給湯器付き風呂釜、洗浄ユニット、リモコン装置を備え、給湯器付き風呂釜には制御本体部が設けられ、この制御本体部に対して洗浄ユニットおよびリモコン装置がリモコンコードを介して接続されている自動風呂装置において、次の構成を採用している。
【００３７】
すなわち、本発明では、前記制御本体部は、洗浄ユニットが接続されているか否かを判断する接続判断手段と、洗浄ユニットの通信異常の有無を判断する異常判断手段と、前記接続判断手段によって洗浄ユニットが接続されていると判断されているにもかかわらずに、前記異常判断手段によって異常有りと判断された場合には、その以降の風呂動作を禁止する風呂動作禁止手段とを備えている。
【００３８】
【発明の実施の形態】
この実施形態の自動風呂装置は、浴槽２、給湯器付き風呂釜２０、洗浄ユニット１０４、リモコン装置１０２，１０３を備えるが、それらの各部の配置および構成は、図３および図４に示したものと基本的に同じである。
【００３９】
この実施形態の特徴は、給湯器付き風呂釜２０の制御本体部１００の構成、および処理プログラムにある。よって、以下、制御本体部１００について詳述する。
【００４０】
図１は、給湯器付き風呂釜２０に設けられている制御本体部１００の構成を示すブロック図である。
【００４１】
同図において、１１０は制御シーケンスのプログラムが記憶されたＲＯＭ、１２０は洗浄ユニット１０４やリモコン装置１０２，１０３との通信時のデータや演算結果等を一時的に記憶するためのＲＡＭ、１３０は弁３５，４１，５５，…や循環ポンプ５８などの各種の負荷を駆動する負荷ドライバ、１４０は洗浄ユニット１０４やリモコン装置１０２，１０３とリモコンコード５を介して通信するためのインターフェイス、１５０は洗浄ユニット１０４との通信が所定回数以上行われた場合に洗浄ユニット１０４の存在を示すデータを格納する記憶手段としてのＥＥＰＲＯＭ、１６０は時間を計時するタイマ、１７０は各種の演算や制御を司る演算制御部である。
【００４２】
そして、上記のＲＯＭ１１０に記憶された制御シーケンスと演算制御部１７０とによって、特許請求の範囲における、異常判断手段と風呂動作禁止手段とが、また、ＥＥＰＲＯＭ１５０および演算制御部１７０によって特許請求の範囲における接続判断手段がそれぞれ構成されている。
【００４３】
次に、この実施形態の自動風呂装置において、制御本体部１００による洗浄ユニット１０４の制御動作について、以下の(１)〜(４)の状況にそれぞれ分けて、図２に示すフローチャートを参照して説明する。
【００４４】
(１)  制御本体部１００と洗浄ユニット１０４とが正常に接続されていて通信可能な場合
制御本体部１００に最初に電源が投入された場合には、洗浄ユニット１０４と通信できたことを示す通信フラグＦ、およびＥＥＰＲＯＭ１５０へ記憶動作を行ったことを示す記憶動作フラグＱを共にクリアする(ステップ１)。
【００４５】
次に、洗浄ユニット１０４と通信が可能か否かを判断する(ステップ２)。
【００４６】
ここでは、制御本体部１００と洗浄ユニット１０４とが正常に接続されていて通信可能な状態にあることを前提にしているので、次に、通信不能の回数を示す異常カウント値Ｐをクリアする(ステップ３)。
【００４７】
続いて、洗浄ユニット１０４との通信ができたのであるから、通信フラグを“１”にセットする(ステップ４)。引き続いて、洗浄ユニット１０４との今までの通信回数Ｃが予め設定されたしきい値Ｃth(たとえばＣth＝１０)を越えているか否かを判断する(ステップ５)。制御本体部１００への電源投入直後では、Ｃ＜Ｃthであるので、次のステップ９に進む。
【００４８】
このステップ９では、洗浄ユニット１０４との間で通信があった場合の履歴を示すデータ(以下、通信履歴データという)がＥＥＰＲＯＭ１５０に既に格納されているか否かを判断する。制御本体部１００への電源投入直後では、通信履歴データは未だ格納されていないので、通常の制御動作を行った後(ステップ１１)、ステップ２に戻る。
【００４９】
そして、ステップ２→ステップ３→ステップ４→ステップ５→ステップ９→ステップ１１→ステップ２が繰り返されると、通信回数Ｃが次第に増加し、予め設定されたしきい値Ｃth以上(Ｃ≧Ｃth)となると、ステップ６に移行し、記憶動作フラグＱが“１”にセットされているか否を判断する。
【００５０】
最初は、ＥＥＰＲＯＭ１５０には通信履歴データを格納する動作を行っていないので、Ｑ＝０であり、よって、次に、通信履歴データをＥＥＰＲＯＭ１５０に格納する(ステップ７)。このように、通信履歴データをＥＥＰＲＯＭ１５０に格納することで、制御本体部１００がリセットされたり、リモコンコード５が断線したような場合であっても、常に、洗浄ユニット１０４が既に組み込まれて接続されていることを認識することができる。
【００５１】
続いて、記憶動作フラグＱを“１”にセットする(ステップ８)。
【００５２】
次のステップ９では、通信履歴データがＥＥＰＲＯＭ１５０に既に格納されているか否かを判断する。ＥＥＰＲＯＭ１５０には、ステップ７において通信履歴データが既に格納しているので、続いて、通信フラグＦが“０”にクリアされているか否かを判断する(ステップ１０)。このとき、通信フラグＦは既にステップ４で“１”にセットされているので、ステップ１１を経てステップ２に戻る。
【００５３】
その後、ステップ２→ステップ３→ステップ４→ステップ５→ステップ６となるが、このとき、既にステップ８で記憶動作フラグＱが“１”にセットされているので、ステップ９に移行し、ステップ１０，１１を経てステップ２に戻る。
【００５４】
以降は、制御本体部１００と洗浄ユニット１０４とが正常に接続されていて通信可能な状態が維持されている限り、ステップ２→ステップ３→ステップ４→ステップ５→ステップ６→ステップ９→ステップ１０→ステップ１１→ステップ２を繰り返す。
【００５５】
(２)  外来ノイズ等によって、制御本体部１００がリセットされ、かつ、洗浄ユニット１０４がシステムダウンした場合
この場合、制御本体部１００は、システムダウンしていないものの、初期状態にリセットされている。一方、洗浄ユニット１０４はシステムダウンの状態にある。
【００５６】
よって、ステップ２で洗浄ユニット１０４と通信しようとしても、通信不可能と判断されてステップ１２に移行するが、ここで、通信フラグＦは最初に電源が投入されたときと同様に“０”にリセットされている。よって、ステップ９に移行する。
【００５７】
そして、ＥＥＰＲＯＭ１５０に通信履歴データが格納されているか否かを判断する。
【００５８】
洗浄ユニット１０４がシステムダウンする以前に、両者１００，１０４間でしきい値Ｃth以上の回数の通信が行われていた場合には、ＥＥＰＲＯＭ１５０には通信履歴データが既に格納されているため、演算制御部１７０は、洗浄ユニット１０４が接続されていることを認識することができる。
【００５９】
よって、次に、通信フラグＦが“０”にリセットされているか否かを判断する(ステップ１０)。ここでは、通信フラグＦが“０”にリセットされたことを前提としているため、続いて、リモコン装置１０２，１０３から、従来技術として説明した前記(a)〜(c)のいずれかの風呂動作を行わせるための風呂スイッチがＯＮされたか否かを判断する(ステップ１７)。
【００６０】
風呂スイッチが操作されなければ、ステップ１１を経てステップ２に戻る一方、風呂スイッチが操作された場合には、その風呂動作を禁止する(ステップ１８)。このため、従来のように、浴槽２に湯水が供給される際に、同時に洗浄液も浴槽２内に吐出されるといった不都合が生じない。
【００６１】
次いで、タイマ１６０を起動して(ステップ１９)、そのタイマ１６０で計時される時間Ｔが予め設定した基準時間Ｔ0を越える(Ｔ≧Ｔ0)か否かを判断する(ステップ２０)。
【００６２】
タイマ１６０の計時時間Ｔが基準時間Ｔ0以下ならば、ステップ２に戻る一方、ステップ２０でタイマ１６０の計時時間Ｔが基準時間Ｔ0以上となった場合には、エラーコードを図示しないＬＥＤ等の表示部に出力し、洗浄ユニット１０４側に異常が発生していることを知らせる(ステップ２１)。なお、このときは、表示以外にたとえばブザーや音声によって知らせるようにしてもよい。
【００６３】
(３)  制御本体部１００は正常だが、リモコンコード５の断線等のために洗浄ユニット１０４との通信が途中で不能となった場合
この場合には、ステップ２で洗浄ユニット１０４と通信しようとしても、通信が途絶するため、通信不可能と判断されてステップ１２に移行する。
【００６４】
ここで、制御本体部１００はリモコンコード５が断線する前後のいずれの状態でも正常に動作しており、かつ、リモコンコード５が断線するまでは、洗浄ユニット１０４との間の通信が可能であったため通信フラグＦは“１”にセットされたまま維持されている。
【００６５】
よって、ステップ１２でＦ＝１と判断されるため、次に、異常カウント値Ｐを１つ増加する(ステップ１３)。続いて、この異常カウント値Ｐが予め設定されたしきい値Ｐth(たとえばＰth＝１２)を越えているか否かを判断する(ステップ１４)。
【００６６】
リモコンコード５の断線発生の直後では、Ｐ＜Ｐthであるので、ステップ９に進み、ＥＥＰＲＯＭ１５０に通信履歴データが格納されているか否かを判断する。
【００６７】
リモコンコード５の断線発生以前に、洗浄ユニット１０４との間でしきい値Ｃth以上の回数の通信が行われている場合には、ＥＥＰＲＯＭ１５０には通信履歴データが既に格納されているので、洗浄ユニット１０４が接続されていることを認識することができる。
【００６８】
よって、次に、通信フラグＦが“０”にクリアされているか否かを判断する(ステップ１０)。このとき、通信フラグＦは既にステップ４で“１”にセットされているので、ステップ１１を経てステップ２に戻る。
【００６９】
そして、ステップ２→ステップ１２→ステップ１３→ステップ１４→ステップ９→ステップ１０→ステップ１１→ステップ２が繰り返されると、異常カウント値Ｐが次第に増加し、これが予め設定されたしきい値Ｐth以上(Ｐ≧Ｐth)となると、通信フラグＦをリセットして“０”とした後(ステップ１５)、各リモコン装置１０２，１０３の全てのスイッチをオフとする(ステップ１６)。
【００７０】
続いて、ステップ９からステップ１０に至るが、このとき、既にステップ１５において通信フラグＦが“０”にリセットされているので、次に、風呂スイッチがＯＮされたか否かを判断する(ステップ１７)。
【００７１】
風呂スイッチが操作されなければ、ステップ１１を経てステップ２に戻る一方、風呂スイッチが操作された場合には、その風呂動作を禁止する(ステップ１８)。このため、リモコンコード５が断線した場合にも、浴槽２に湯水が供給される際に、同時に洗浄液も浴槽２内に吐出されるといった不都合が生じない。
【００７２】
次いで、タイマ１６０を起動して(ステップ１９)、そのタイマ１６０で計時される時間Ｔが予め設定した基準時間Ｔ0を越える(Ｔ≧Ｔ0)か否かを判断する(ステップ２０)。
【００７３】
タイマ１６０の計時時間Ｔが基準時間Ｔ0以下ならば、ステップ２に戻る一方、ステップ２０でタイマ１６０の計時時間Ｔが基準時間Ｔ0以上となった場合には、エラーコードを図示しないＬＥＤ等の表示部に出力し、洗浄ユニット１０４側に異常が発生していることを知らせる(ステップ２１)。
【００７４】
(４)  制御本体部１００に対して、洗浄ユニット１０４が最初から接続されていないない場合
洗浄ユニット１０４をオプション扱いとする場合には、制御本体部１００に対して洗浄ユニット１０４が最初から接続されていないことがある。
【００７５】
そのような場合には、ステップ２で洗浄ユニット１０４と通信しようとしても、通信不可能と判断されるため、ステップ１２に移行する。
【００７６】
ここで、制御本体部１００は、洗浄ユニット１０４との間の通信が成功することがないので、通信フラグＦは常に“０”にリセットされたままである。
【００７７】
よって、ステップ１２でＦ＝０と判断されるため、ステップ９に移行するが、この場合、ＥＥＰＲＯＭ１５０に通信履歴データが格納されることはないから、ステップ１１を経てステップ２に戻る。つまり、ステップ２→ステップ１２→ステップ９→ステップ１１→ステップ２が繰り返されることになる。
【００７８】
【発明の効果】
本発明によれば、外来ノイズ等によって給湯器付き風呂釜に設けられている制御本体部がリセットされるとともに、洗浄ユニットがシステムダウンしたり、あるいは、洗浄ユニットとを結ぶリモコンコードが不意に断線したような場合には、風呂動作が禁止されるので、洗浄ユニットから誤って洗剤が浴槽内に流入されるといったことを確実に防止することができる。
【００７９】
また、洗浄ユニットの有無を制御本体部で判断させるようにすることで、施工現場で制御本体部に対してデップスイッチ等の設定を行う必要もなく、洗浄ユニットの有無によって制御本体部を使い分ける必要もないため、利便性が向上する。
【図面の簡単な説明】
【図１】本発明の自動風呂装置において、給湯器付き風呂釜に設けられている制御本体部の構成を示すブロック図である。
【図２】制御本体部の洗浄ユニットに対する制御動作の説明に供するフローチャートである。
【図３】自動風呂装置の全体の配置を示す構成図である。
【図４】自動風呂装置の浴槽、給湯器付き風呂釜、および洗浄ユニットの接続状態を示す構成図である。
【符号の説明】
１…自動風呂装置、２…浴槽、３…浴室、４…洗浄ノズル、５…リモコンコード、１０…噴気ノズル、２０…給湯器付き風呂釜、１００…制御本体部、１０２…メインリモコン装置、１０３…風呂リモコン装置、１０４…洗浄ユニット、１１０…ＲＯＭ、１５０…ＥＥＰＲＯＭ、１７０…演算制御部。
【図１】
0003541622.tif 000002
【図２】
0003541622.tif 000003
【図３】
0003541622.tif 000004
【図４】
0003541622.tif 000005